(57)【特許請求の範囲】
【請求項１】
主母線に接続された母線側機器、この母線側機器に接続された遮断器、及びこの遮断器に接続された線路側機器をそれぞれ備えた複数の送電線ユニットと、前記主母線に接続された母線側機器、この母線側機器に接続された遮断器、及びこの遮断器に接続された変圧器側機器をそれぞれ備えた複数の変圧器ユニットとを少なくとも含む複数のユニットを備えたガス絶縁開閉装置であって、
前記主母線は平面視でコの字状に配置構成され、
前記複数のユニットは、前記主母線のうちコの字の平行二辺に相当する構成部分に接続され、
前記複数のユニットはいずれも前記主母線の外側に配置され、
前記複数の送電線ユニットはいずれも前記主母線のうちコの字の平行二辺の一方の辺に相当する構成部分に接続され、
前記複数の変圧器ユニットはいずれも前記平行二辺の他方の辺に相当する構成部分に接続されている
ことを特徴とするガス絶縁開閉装置。
【請求項２】
前記複数のユニットは、前記平行二辺に相当する構成部分の延伸方向に対して、千鳥に配置されていることを特徴とする請求項１に記載のガス絶縁開閉装置。
【請求項３】
前記複数の送電線ユニットの線路側機器にはそれぞれケーブルヘッドが含まれ、
前記複数の変圧器ユニットの変圧器側機器にはそれぞれケーブルヘッドが含まれ、
当該ガス絶縁開閉装置の設置面下には、前記複数の送電線ユニットの各々のケーブルヘッドに接続されるケーブルに共通して使用される第１のケーブル洞道が前記平行二辺に相当する構成部分の延伸方向と平行に設けられ、前記複数の変圧器ユニットの各々のケーブルヘッドに接続されるケーブルに共通して使用される第２のケーブル洞道が前記第１のケーブル洞道と平行に設けられていることを特徴とする請求項１または２に記載のガス絶縁開閉装置。
【請求項４】
前記主母線は二重母線を成し、
前記主母線間を遮断器を介して連絡する母線連絡ユニットを備えることを特徴とする請求項１から３のいずれか１項に記載のガス絶縁開閉装置。
【請求項５】
前記主母線は単母線を成すことを特徴とする請求項１から４のいずれか１項に記載のガス絶縁開閉装置。
【発明の詳細な説明】
【技術分野】
【０００１】
この発明は、ガス絶縁開閉装置に関するものである。
【背景技術】
【０００２】
従来、発電所又は変電所等では、絶縁性及び消弧性に優れたＳＦ６（六フッ化硫黄）ガス等の絶縁性ガスを使用したガス絶縁開閉装置が使用されている。ガス絶縁開閉装置は、限られたスペースでいかに収納効率を上げて設置するかが大きな課題となっており、設置スペースの縮小化の要請は大きい。
【０００３】
特許文献１には、直線状に延設された主母線から母線区分回線、母線連絡回線、送電線回線、及び変圧器回線等が主母線の延伸方向と直交する方向に引き出された構成のガス絶縁開閉装置が記載されている（特許文献１の例えば図６参照）。
【先行技術文献】
【特許文献】
【０００４】
【特許文献１】特開昭６３−１８９０８号公報
【発明の概要】
【発明が解決しようとする課題】
【０００５】
しかしながら、上記特許文献１のガス絶縁開閉装置では、主母線からの回線の引き出し数に応じて主母線の延伸方向にスペースが必要となり、主母線の延伸方向に設置スペースが増大するという問題があった。
【０００６】
また、上記特許文献１のガス絶縁開閉装置では、回線は主母線の延伸方向に対して左右いずれの方向にも引き出されているので、主母線の延伸方向と直交する方向のスペースも増大し、全体として更に大きなスペースが必要となる。
【０００７】
また、一般にガス絶縁開閉装置では、通電による発熱の影響等により主母線が熱伸縮する。上記特許文献１のガス絶縁開閉装置では、回線の引き出し数が多くなり主母線が直線的に長くなると、主母線の熱伸縮量もそれに比例して大きくなるため、この熱伸縮を吸収する方策も必要になる。
【０００８】
この発明は、上記に鑑みてなされたもので、主母線の延伸方向の設置スペースを縮小化し、主母線の熱伸縮量の低減も可能とするガス絶縁開閉装置を提供することを目的とする。
【課題を解決するための手段】
【０００９】
上述した課題を解決し、目的を達成するために、本発明に係るガス絶縁開閉装置は、主母線に接続された母線側機器、この母線側機器に接続された遮断器、及びこの遮断器に接続された線路側機器をそれぞれ備えた複数の送電線ユニットと、前記主母線に接続された母線側機器、この母線側機器に接続された遮断器、及びこの遮断器に接続された変圧器側機器をそれぞれ備えた複数の変圧器ユニットとを少なくとも含む複数のユニットを備えたガス絶縁開閉装置であって、前記主母線は平面視でコの字状に配置構成され、前記複数のユニットは、前記主母線のうちコの字の平行二辺に相当する構成部分に接続され、前記複数のユニットはいずれも前記主母線の外側に配置され、前記複数の送電線ユニットはいずれも前記主母線のうちコの字の平行二辺の一方の辺に相当する構成部分に接続され、前記複数の変圧器ユニットはいずれも前記平行二辺の他方の辺に相当する構成部分に接続されていることを特徴とする。
【発明の効果】
【００１０】
この発明によれば、主母線の延伸方向の設置スペースを縮小化し、主母線の熱伸縮量の低減も可能とする、という効果を奏する。
【図面の簡単な説明】
【００１１】
【図１】図１は、実施の形態１に係るガス絶縁開閉装置の単線結線図である。
【図２】図２は、実施の形態１に係るガス絶縁開閉装置の構成を示す上面図である。
【図３−１】図３−１は、図２におけるＡ−Ａ矢視断面図である。
【図３−２】図３−２は、図２におけるＢ−Ｂ矢視断面図である。
【図３−３】図３−３は、図３−１におけるＣ−Ｃ矢視断面図である。
【図３−４】図３−４は、図３−１におけるＤ−Ｄ矢視断面図である。
【図３−５】図３−５は、図３−１におけるＥ−Ｅ矢視断面図である。
【図３−６】図３−６は、図３−２におけるＦ−Ｆ矢視断面図である。
【図３−７】図３−７は、図３−２におけるＧ−Ｇ矢視断面図である。
【図４】図４は、実施の形態２に係るガス絶縁開閉装置の単線結線図である。
【図５】図５は、実施の形態２に係るガス絶縁開閉装置の構成を示す上面図である。
【図６−１】図６−１は、図５におけるＡ−Ａ矢視断面図である。
【図６−２】図６−２は、図５におけるＢ−Ｂ矢視断面図である。
【図６−３】図６−３は、図６−１におけるＣ−Ｃ矢視断面図である。
【図６−４】図６−４は、図６−１におけるＤ−Ｄ矢視断面図である。
【図６−５】図６−５は、図６−１におけるＥ−Ｅ矢視断面図である。
【図６−６】図６−６は、図６−２におけるＦ−Ｆ矢視断面図である。
【図６−７】図６−７は、図６−２におけるＧ−Ｇ矢視断面図である。
【図７】図７は、実施の形態３に係るガス絶縁開閉装置の単線結線図である。
【図８】図８は、実施の形態３に係るガス絶縁開閉装置の構成を示す上面図である。
【図９−１】図９−１は、図８におけるＡ−Ａ矢視断面図である。
【図９−２】図９−２は、図８におけるＡ’−Ａ’矢視断面図である。
【図９−３】図９−３は、図９−１におけるＢ−Ｂ矢視断面図である。
【図９−４】図９−４は、図９−１におけるＣ−Ｃ矢視断面図である。
【図９−５】図９−５は、図９−１におけるＤ−Ｄ矢視断面図である。
【図９−６】図９−６は、図９−２におけるＥ−Ｅ矢視断面図である。
【図９−７】図９−７は、図９−２におけるＦ−Ｆ矢視断面図である。
【図１０】図１０は、実施の形態４に係るガス絶縁開閉装置の単線結線図である。
【図１１】図１１は、実施の形態４に係るガス絶縁開閉装置の構成を示す上面図である。
【図１２−１】図１２−１は、図１１におけるＡ−Ａ矢視断面図である。
【図１２−２】図１２−２は、図１１におけるＢ−Ｂ矢視断面図である。
【図１２−３】図１２−３は、図１２−１におけるＣ−Ｃ矢視断面図である。
【図１２−４】図１２−４は、図１２−１におけるＤ−Ｄ矢視断面図である。
【図１２−５】図１２−５は、図１２−１におけるＥ−Ｅ矢視断面図である。
【図１２−６】図１２−６は、図１２−２におけるＦ−Ｆ矢視断面図である。
【図１２−７】図１２−７は、図１２−２におけるＧ−Ｇ矢視断面図である。
【図１３】図１３は、実施の形態５に係るガス絶縁開閉装置の単線結線図である。
【図１４】図１４は、実施の形態５に係るガス絶縁開閉装置の構成を示す上面図である。
【図１５−１】図１５−１は、図１４におけるＡ−Ａ矢視断面図である。
【図１５−２】図１５−２は、図１４におけるＡ’−Ａ’矢視断面図である。
【図１５−３】図１５−３は、図１５−１におけるＢ−Ｂ矢視断面図である。
【図１５−４】図１５−４は、図１５−１におけるＣ−Ｃ矢視断面図である。
【図１５−５】図１５−５は、図１５−１におけるＤ−Ｄ矢視断面図である。
【図１５−６】図１５−６は、図１５−２におけるＥ−Ｅ矢視断面図である。
【図１５−７】図１５−７は、図１５−２におけるＦ−Ｆ矢視断面図である。
【図１６】図１６は、実施の形態６に係るガス絶縁開閉装置の単線結線図である。
【図１７】図１７は、実施の形態６に係るガス絶縁開閉装置の構成を示す上面図である。
【図１８−１】図１８−１は、図１７におけるＡ−Ａ矢視断面図である。
【図１８−２】図１８−２は、図１７におけるＢ−Ｂ矢視断面図である。
【図１８−３】図１８−３は、図１８−１におけるＣ−Ｃ矢視断面図である。
【図１８−４】図１８−４は、図１８−１におけるＤ−Ｄ矢視断面図である。
【図１８−５】図１８−５は、図１８−１におけるＥ−Ｅ矢視断面図である。
【図１８−６】図１８−６は、図１８−１におけるＦ−Ｆ矢視断面図である。
【図１８−７】図１８−７は、図１８−２におけるＧ−Ｇ矢視断面図である。
【図１８−８】図１８−８は、図１８−２におけるＨ−Ｈ矢視断面図である。
【図１９】図１９は、実施の形態７に係るガス絶縁開閉装置の単線結線図である。
【図２０】図２０は、実施の形態７に係るガス絶縁開閉装置の構成を示す上面図である。
【図２１−１】図２１−１は、図２０におけるＡ−Ａ矢視断面図である。
【図２１−２】図２１−２は、図２０におけるＡ’−Ａ’矢視断面図である。
【図２１−３】図２１−３は、図２１−１におけるＢ−Ｂ矢視断面図である。
【図２１−４】図２１−４は、図２１−１におけるＣ−Ｃ矢視断面図である。
【図２１−５】図２１−５は、図２１−１におけるＤ−Ｄ矢視断面図である。
【図２１−６】図２１−６は、図２１−２におけるＥ−Ｅ矢視断面図である。
【図２１−７】図２１−７は、図２１−２におけるＦ−Ｆ矢視断面図である。
【図２１−８】図２１−８は、図２１−２におけるＧ−Ｇ矢視断面図である。
【図２２】図２２は、実施の形態８に係るガス絶縁開閉装置の単線結線図である。
【図２３】図２３は、従来の第１のガス絶縁開閉装置の単線結線図である。
【図２４】図２４は、従来の第１のガス絶縁開閉装置の構成を示す上面図である。
【図２５】図２５は、従来の第１のガス絶縁開閉装置の構成を示す側面図である。
【図２６−１】図２６−１は、図２５におけるＡ−Ａ矢視断面図である。
【図２６−２】図２６−２は、図２５におけるＢ−Ｂ矢視断面図である。
【図２６−３】図２６−３は、図２５におけるＣ−Ｃ矢視断面図である。
【図２６−４】図２６−４は、図２５におけるＤ−Ｄ矢視断面図である。
【図２７】図２７は、従来の第１のガス絶縁開閉装置の単線結線図である。
【図２８】図２８は、従来の第１のガス絶縁開閉装置の構成を示す上面図である。
【図２９】図２９は、従来の第１のガス絶縁開閉装置の構成を示す側面図である。
【図３０−１】図３０−１は、図２９におけるＡ−Ａ矢視断面図である。
【図３０−２】図３０−２は、図２９におけるＢ−Ｂ矢視断面図である。
【図３０−３】図３０−３は、図２９におけるＣ−Ｃ矢視断面図である。
【図３０−４】図３０−４は、図２９におけるＤ−Ｄ矢視断面図である。
【発明を実施するための形態】
【００１２】
以下に、本発明に係るガス絶縁開閉装置の実施の形態を図面に基づいて詳細に説明する。なお、この実施の形態によりこの発明が限定されるものではない。
【００１３】
実施の形態１．
図１は、本実施の形態に係るガス絶縁開閉装置の単線結線図、図２は、本実施の形態に係るガス絶縁開閉装置の構成を示す上面図、図３−１は、図２におけるＡ−Ａ矢視断面図、図３−２は、図２におけるＢ−Ｂ矢視断面図、図３−３は、図３−１におけるＣ−Ｃ矢視断面図、図３−４は、図３−１におけるＤ−Ｄ矢視断面図、図３−５は、図３−１におけるＥ−Ｅ矢視断面図、図３−６は、図３−２におけるＦ−Ｆ矢視断面図、図３−７は、図３−２におけるＧ−Ｇ矢視断面図である。以下、図１〜図３を参照して、構成について説明する。
【００１４】
本実施の形態は、主母線１，２を二重母線として備えた二重母線方式のガス絶縁開閉装置である。図１及び図２に示すように、主母線１，２は、一方向に直線的に延設された後に同方向にコの字状に折り返して構成されている。すなわち、ガス絶縁開閉装置の設置面に対して垂直な方向から平面視した場合に、主母線１，２の配置は概略コの字状を成している。詳細には、上記一方向に延設され所定の間隔で配置された一対の主母線１，２の端部間が上記同一方向と直交する方向に延伸する主母線１ａ，２ａにより互いに接続されて、全体として概略コの字状に形成されている。なお、主母線１ａ，２ａは主母線１，２を構成する部分のうち上記一方向と直交する方向の部分を異なる符合で表したものであり、主母線１，２の一部を成すものである。主母線１は例えば主母線２の上方に配置され、主母線１，２は所定の間隔で互いに平行に配置されている。なお、以下では、主母線１，２の延伸方向というときは、主母線１ａ，２ａ以外の主要な部分の延伸方向を意味するものとする。
【００１５】
主母線１，２には、例えば、送電線ユニットＵ１、母線計器用変圧器ユニットＵ２、送電線ユニットＵ３、変圧器ユニットＵ４、母線連絡ユニットＵ５、及び変圧器ユニットＵ６が接続され、これらはいずれもコの字状の主母線１，２の外側に配置されている。具体的には、送電線ユニットＵ１及び変圧器ユニットＵ６は折り返された主母線１，２を挟んで主母線１，２の延伸方向と直交する方向に互いに対向して配置され、母線計器用変圧器ユニットＵ２及び母線連絡ユニットＵ５は折り返された主母線１，２を挟んで互いに対向して配置され、送電線ユニットＵ３及び変圧器ユニットＵ４は折り返された主母線１，２を挟んで主母線１，２の延伸方向と直交する方向に互いに対向して配置されている。送電線ユニットＵ１、母線計器用変圧器ユニットＵ２、送電線ユニットＵ３、変圧器ユニットＵ４、母線連絡ユニットＵ５、及び変圧器ユニットＵ６は、コの字状に構成された主母線１，２の平行二辺に相当する構成部分（つまり、主母線１ａ，２ａ以外の部分）に接続されている。
【００１６】
なお、本実施の形態は上記のようなユニットを備えて構成されているが、これらは一例であってこれらに限定されるものではない。ユニットは、ガス絶縁開閉装置の構成機器を含むものであればよい。例えば、母線１，２に接続するユニット数を減らし回線数を減らした構成も可能であるし、母線１，２に接続するユニット数を増やして回線数を増やした構成も可能である。ただし、二重母線方式の場合、ガス絶縁開閉装置は、送電回線用のユニットである送電線ユニット、変圧器回線用のユニットである変圧器ユニット、及びブスタイである母線連絡ユニットを少なくとも備えて構成される。
【００１７】
次に、各ユニットの具体的な構成例について説明する。まず、送電線ユニットＵ１の構成について説明する。送電線ユニットＵ１は、接地開閉器付の断路器３、断路器４、遮断器５、接地開閉器付の断路器７、接地開閉器８、避雷器９、計器用変圧器１０、ケーブルヘッド１１、及び計器用変流器１２を備えて構成される。
【００１８】
遮断器５は、いわゆる縦形の遮断器であり、遮断器５の軸線は設置面に対して垂直に配置されている。遮断器５は、円筒状の遮断器タンクの側面に例えば三つの分岐引き出し口を備えており、これらの分岐引き出し口の引き出し方向は主母線１，２の延伸方向と直交する方向である。遮断器５の分岐引き出し口のうちの二つは母線側に配置され、残りの一つは線路側に配置されている。母線側に配置された分岐引き出し口のうち上方の引き出し口には、接地開閉器付の断路器３が接続され、この接地開閉器付の断路器３は主母線１に接続されている。母線側に配置された分岐引き出し口のうち下方の引き出し口には、断路器４が接続され、断路器４は主母線２に接続されている。
【００１９】
線路側に配置された分岐引き出し口には、接地開閉器付の断路器７が接続されている。この接地開閉器付の断路器７は、避雷器９及び計器用変圧器１０並びにケーブルヘッド１１に接続されている。また、避雷器９及び計器用変圧器１０並びにケーブルヘッド１１は、接地開閉器８に接続されている。避雷器９及び計器用変圧器１０は接地開閉器付の断路器７及び接地開閉器８に対して上方に配置され、ケーブルヘッド１１は接地開閉器付の断路器７及び接地開閉器８に対して下方に配置されている。ケーブルヘッド１１にはケーブル（図示せず）が接続されており、このケーブルは設置面下に設けられたケーブル収納用のケーブル洞道４７内に配置されて引き出されている。また、ケーブルヘッド１１の下方の設置面下には通流電流計測用の計器用変流器１２が埋設されている。計器用変圧器１２の設置箇所はケーブル引込部４３ａとなっており、ケーブル洞道４７内に配設されたケーブルはケーブル引込部４３ａを経て当該ユニット内に引き込まれている。
【００２０】
次に、母線計器用変圧器ユニットＵ２の構成について説明する。母線計器用変圧器ユニットＵ２は、接地開閉器１３を介して主母線１に接続された計器用変圧器１４、及び接地開閉器１５を介して主母線２に接続された計器用変圧器１６を備えて構成される。接地開閉器１３は接地開閉器１５の上方に配置され、計器用変圧器１４は計器用変圧器１６の上方に配置されている。
【００２１】
次に、送電線ユニットＵ３の構成について説明する。送電線ユニットＵ３は、接地開閉器付の断路器１７、断路器１８、遮断器１９、接地開閉器付の断路器２０、接地開閉器２１、避雷器２２、計器用変圧器２３、ケーブルヘッド２４、及び計器用変流器２５を備えて構成される。送電線ユニットＵ３の配置構成は送電線ユニットＵ１と同様である。すなわち、接地開閉器付の断路器１７は接地開閉器付の断路器３に、断路器１８は断路器４に、遮断器１９は遮断器５に、接地開閉器付の断路器２０は接地開閉器付の断路器７に、接地開閉器２１は接地開閉器８に、避雷器２２は避雷器９に、計器用変圧器２３は計器用変圧器１０に、ケーブルヘッド２４はケーブルヘッド１１に、計器用変流器２５は計器用変流器１２にそれぞれ対応するので、送電線ユニットＵ３の配置構成についての詳細な説明は省略する。なお、ケーブルヘッド２４にはケーブル（図示せず）が接続されており、ケーブル洞道４７内に配置されて引き出されている。また、設置面下に埋設された計器用変流器２５の設置箇所はケーブル引込部４３ｂとなっており、ケーブル洞道４７内に配設されたケーブルはケーブル引込部４３ｂを経て当該ユニット内に引き込まれている。送電線ユニットＵ３は、主母線１，２に対して、送電線ユニットＵ１と同じ側に配置されている。
【００２２】
次に、変圧器ユニットＵ４の構成について説明する。変圧器ユニットＵ４は、接地開閉器付の断路器２６、断路器２７、遮断器２８、接地開閉器２９、ケーブルヘッド３０、及び計器用変流器３１を備えて構成される。
【００２３】
遮断器２８は、いわゆる縦形の遮断器であり、遮断器２８の軸線は設置面に対して垂直に配置されている。遮断器２８は、円筒状の遮断器タンクの側面に例えば三つの分岐引き出し口を備えており、これらの分岐引き出し口の引き出し方向は主母線１，２の延伸方向と直交する方向である。遮断器２８の分岐引き出し口のうちの二つは母線側に配置され、残りの一つは変圧器側に配置されている。母線側に配置された分岐引き出し口のうち上方の引き出し口には、接地開閉器付の断路器２６が接続され、この接地開閉器付の断路器２６は主母線１に接続されている。母線側に配置された分岐引き出し口のうち下方の引き出し口には、断路器２７が接続され、断路器２７は主母線２に接続されている。
【００２４】
変圧器側に配置された分岐引き出し口には、接地開閉器２９が接続されている。この接地開閉器２９の下方には接地開閉器２９に接続されたケーブルヘッド３０が配置されている。また、ケーブルヘッド３０にはケーブル（図示せず）が接続されており、このケーブルは設置面下に設けられたケーブル収納用のケーブル洞道４８内に配置されて引き出されている。また、ケーブルヘッド３０の下方の設置面下には通流電流計測用の計器用変流器３１が埋設されている。計器用変圧器３１の設置箇所はケーブル引込部４３ｃとなっており、ケーブル洞道４８内に配設されたケーブルはケーブル引込部４３ｃを経て当該ユニット内に引き込まれている。
【００２５】
次に、母線連絡ユニットＵ５の構成について説明する。母線連絡ユニットＵ５は、接地開閉器付の断路器３２，３４、計器用変流器３３，３５、及び遮断器３６を備えて構成される。母線連絡ユニットＵ５はブスタイであり、主母線１，２間を連絡し、主母線１，２の切替を行う。例えば、主母線１に故障等が発生した場合に、バックアップとしての主母線２に切り替えて運用を行う。
【００２６】
遮断器３６は、いわゆる縦形の遮断器であり、遮断器３６の軸線は設置面に対して垂直に配置されている。遮断器３６は、円筒状の遮断器タンクの側面に例えば二つの分岐引き出し口を備えており、これらの分岐引き出し口の引き出し方向は主母線１，２の延伸方向と直交する方向である。遮断器３６の分岐引き出し口は母線側に配置されている。遮断器３６の分岐引き出し口のうち上方の引き出し口には、計器用変流器３３を介して接地開閉器付の断路器３２が接続され、この接地開閉器付の断路器３２は主母線１に接続されている。遮断器３６の分岐引き出し口のうち下方の引き出し口には、計器用変流器３５を介して接地開閉器付の断路器３４が接続され、この接地開閉器付の断路器３４は主母線２に接続されている。
【００２７】
次に、変圧器ユニットＵ６の構成について説明する。変圧器ユニットＵ６は、接地開閉器付の断路器３７、断路器３８、遮断器３９、接地開閉器４０、ケーブルヘッド４１、及び計器用変流器４２を備えて構成される。変圧器ユニットＵ６の配置構成は変圧器ユニットＵ４と同様である。すなわち、接地開閉器付の断路器３７は接地開閉器付の断路器２６に、断路器３８は断路器２７に、遮断器３９は遮断器２８に、接地開閉器４０は接地開閉器２９に、ケーブルヘッド４１はケーブルヘッド３０に、計器用変流器４２は計器用変流器３１にそれぞれ対応するので、変圧器ユニットＵ６の配置構成についての詳細な説明は省略する。なお、ケーブルヘッド４１にはケーブル（図示せず）が接続されており、ケーブル洞道４８内に配置されて引き出されている。また、設置面下に埋設された計器用変流器４２の設置箇所はケーブル引込部４３ｄとなっており、ケーブル洞道４８内に配設されたケーブルはケーブル引込部４３ｄを経て当該ユニット内に引き込まれている。変圧器ユニットＵ６は、主母線１，２に対して、変圧器ユニットＵ４と同じ側に配置されている。
【００２８】
なお、以上説明した各ユニットの構成は一例であって、これらの具体的構成に限定されるものではない。例えば、送電線ユニットは、一般に、遮断器、遮断器に接続された母線側機器（断路器等）、遮断器に接続された線路側の機器（ケーブルヘッド、断路器等）などから構成される。例えば、変圧器ユニットは、一般に、遮断器、遮断器に接続された母線側機器（断路器等）、遮断器に接続された変圧器側機器（ケーブルヘッド、断路器等）などから構成される。
【００２９】
図２では、ガス絶縁開閉装置の設置面下（地下）に設けられたケーブル洞道４７，４８の配置箇所をそれぞれ点線で示している。ケーブル洞道４７は、送電線ユニットＵ１，Ｕ３のケーブル引込部４３ａ，４３ｂに合わせて設けられている。ケーブル洞道４８は、変圧器ユニットＵ４，Ｕ６のケーブル引込部４３ｃ，４３ｄに合わせて設けられている。また、図２及び図３−７では、保守点検面Ｐを示しており、矢印の方向からガス絶縁開閉装置の保守点検を行うことを示している。
【００３０】
ここで、本実施の形態と対比するために、従来のガス絶縁開閉装置の構成について説明する。
【００３１】
図２３は、従来の第１のガス絶縁開閉装置の単線結線図、図２４は、従来の第１のガス絶縁開閉装置の構成を示す上面図、図２５は、従来の第１のガス絶縁開閉装置の構成を示す側面図、図２６−１は、図２５におけるＡ−Ａ矢視断面図、図２６−２は、図２５におけるＢ−Ｂ矢視断面図、図２６−３は、図２５におけるＣ−Ｃ矢視断面図、図２６−４は、図２５におけるＤ−Ｄ矢視断面図である。従来の第１のガス絶縁開閉装置は、本実施の形態と同様に二重母線方式のガス絶縁開閉装置である。
【００３２】
図２３〜図２６に示すように、従来の第１のガス絶縁開閉装置では、直線状に延設された主母線１，２には、順に送電線ユニットＵ１、母線計器用変圧器ユニットＵ２、変圧器ユニットＵ４、母線連絡ユニットＵ５、変圧器ユニットＵ６、及び送電線ユニットＵ３が接続されている。また、これらのユニットはいずれも主母線１，２の延伸方向に対して直交する方向の一方側に配置されている。なお、従来の第１のガス絶縁開閉装置の各ユニットの構成は、本実施の形態の各ユニットの構成と同じであるので、同一の構成要素には同一の符号を付してその詳細な説明は省略する。すなわち、従来の第１のガス絶縁開閉装置と本実施の形態のガス絶縁開閉装置とでは、各ユニットの構成は同じであるが、主母線１，２の形状と各ユニットの配置構成が異なっている。
【００３３】
従来の第１のガス絶縁開閉装置では、直線状に延設された主母線１，２から各ユニットが順次引き出される構成となっているので、主母線１，２からのユニット（又は回線）の引き出し数に応じて主母線１，２の延伸方向にスペースが必要となり、主母線１，２の延伸方向に設置スペースが増大することとなる。これに対し、本実施の形態では、主母線１，２がコの字状に構成されているので、主母線１，２の延伸方向のスペースの縮小化が図れる。
【００３４】
また、従来の第１のガス絶縁開閉装置では、主母線１，２がユニット数に応じて直線状に延設されることから、熱伸縮量も主母線１，２の長さに比例して大きくなる。これに対し、本実施の形態では、主母線１，２がコの字状に構成されているので、主母線１，２の延伸方向の長さは半減され、熱伸縮量も半減するので、熱伸縮対策が容易である。
【００３５】
また、図２４、図２６−１、及び図２６−３に示すように、従来の第１のガス絶縁開閉装置では、送電線ユニットＵ１のケーブル引込部７１ａ、変圧器ユニットＵ４のケーブル引込部７１ｂ、変圧器ユニットＵ６のケーブル引込部７１ｃ、及び送電線ユニットＵ３のケーブル引込部７１ｄが主母線１，２の延伸方向に平行に配置される。そのため、ケーブル洞道７０はこれらに合わせて直線状に設けることとなり、ユニット数に応じてケーブル洞道７０の大きさも増大する。これに対し、本実施の形態では、送電線ユニットＵ１，Ｕ３と変圧器ユニットＵ２，Ｕ６とでは引き出し方向が異なり、換言すれば、回線の用途別にケーブルの引き出し方向をまとめているので、ケーブル洞道４７，４８をそれぞれ縮小化することができ、掘削に要する基礎土木工事費用を低減することができる。
【００３６】
図２７は、従来の第２のガス絶縁開閉装置の単線結線図、図２８は、従来の第２のガス絶縁開閉装置の構成を示す上面図、図２９は、従来の第２のガス絶縁開閉装置の構成を示す側面図、図３０−１は、図２９におけるＡ−Ａ矢視断面図、図３０−２は、図２９におけるＢ−Ｂ矢視断面図、図３０−３は、図２９におけるＣ−Ｃ矢視断面図、図３０−４は、図２９におけるＤ−Ｄ矢視断面図である。従来の第２のガス絶縁開閉装置は、本実施の形態と同様に二重母線方式のガス絶縁開閉装置である。
【００３７】
図２７〜図３０に示すように、従来の第２のガス絶縁開閉装置では、送電線ユニットＵ１、母線計器用変圧器ユニットＵ２、母線連絡ユニットＵ５、及び送電線ユニットＵ３と、変圧器ユニットＵ４及び変圧器ユニットＵ６とが、直線状に延設された主母線１，２を挟むようにして配置されている。すなわち、従来の第２のガス絶縁開閉装置では、ユニットは主母線１，２の延伸方向に対して左右いずれの側にも配置されている。なお、従来の第２のガス絶縁開閉装置のその他の構成は従来の第１のガス絶縁開閉装置と同様であるので、その詳細な説明は省略する。また、図２７〜図３０では、図２３〜図２６と同一の構成要素には同一の符号を付している。
【００３８】
従来の第２のガス絶縁開閉装置では、従来の第１のガス絶縁開閉装置と同様に、主母線１，２の延伸方向のスペースが増大し、主母線１，２の熱伸縮量も大きくなるという問題がある。また、従来の第２のガス絶縁開閉装置では、回線を主母線１，２の左右両側に引き出しているので、従来の第１のガス絶縁開閉装置と比較して、主母線１，２の延伸方向と直交する方向のスペースも増大している。これに対し、本実施の形態は、従来の第１のガス絶縁開閉装置との対比で説明したような有利な効果を有する。
【００３９】
以上説明したように、本実施の形態によれば、主母線１，２を概略コの字状に折り返して配置するようにしたので、従来のように直線状に配置していた場合に比べて、主母線１，２の延伸方向における設置スペースの縮小化を図ることができる。
【００４０】
また、本実施の形態によれば、従来のように直線状に配置していた場合に比べて、主母線の直線部分が半減することから、同直線方向における主母線の熱伸縮量が半減することとなる。
【００４１】
また、本実施の形態によれば、送電線ユニットＵ１，Ｕ３のケーブル引き出し方向を同一方向とし、変圧器ユニットＵ４，Ｕ６のケーブル引き出し方向を同一方向としたことで、ケーブル洞道４７，４８の縮小化を図ることができ、基礎土木工事費用の低減効果がある。
【００４２】
なお、図１及び図２において、回線の用途別にケーブルの引き出し方向をまとめない構成も可能であり、例えば送電線ユニットＵ３と変圧器ユニットＵ４との配置を交換した配置構成なども可能である。
【００４３】
実施の形態２．
図４は、本実施の形態に係るガス絶縁開閉装置の単線結線図、図５は、本実施の形態に係るガス絶縁開閉装置の構成を示す上面図、図６−１は、図５におけるＡ−Ａ矢視断面図、図６−２は、図５におけるＢ−Ｂ矢視断面図、図６−３は、図６−１におけるＣ−Ｃ矢視断面図、図６−４は、図６−１におけるＤ−Ｄ矢視断面図、図６−５は、図６−１におけるＥ−Ｅ矢視断面図、図６−６は、図６−２におけるＦ−Ｆ矢視断面図、図６−７は、図６−２におけるＧ−Ｇ矢視断面図である。
【００４４】
図４〜図６に示すように、主母線１，２は、コの字状に折り返したその両端部を接続して環状に構成されている。すなわち、ガス絶縁開閉装置の設置面に対して垂直な方向から平面視した場合に、主母線１，２は概略矩形の環状を成している。詳細には、一方向に延設された主母線１，２を、これらと直交する方向に延伸する主母線１ａ，２ａを用いてコの字状に折り返し、更にコの字状とした主母線１，２の端部を主母線１ａ，２ａに平行な主母線１ｂ，２ｂで互いに接続して環状構造としている。なお、実施の形態１と同様に、主母線１ａ，１ｂ，２ａ，２ｂは主母線１，２を構成する部分のうち上記一方向と直交する方向の部分を異なる符合で表したものであり、主母線１、２の一部を成すものである。
【００４５】
送電線ユニットＵ１、母線計器用変圧器ユニットＵ２、及び送電線ユニットＵ３は、矩形に構成された主母線１，２の互いに対向する二辺のうちの一方の辺に相当する部分に接続され、変圧器ユニットＵ４、母線連絡ユニットＵ５、及び変圧器ユニットＵ６は、互いに対向する二辺のうちの他方の辺に相当する部分に接続されている。本実施の形態のその他の構成は、実施の形態１と同様であるので、図１〜図３と同一の構成要素には同一の符号を付してその詳細な説明を省略する。
【００４６】
本実施の形態では、主母線１，２は環状に構成されている。そのため、二重化された主母線１，２のうちの一方に故障が発生し他方で運転をする場合において、当該他方に更に故障等が発生したとしても、当該他方にはループ状の経路により故障部位を回避する通電経路が存在するので、運転を継続することができる。よって、本実施の形態は、実施の形態１よりも更に冗長性が高い。  
【００４７】
また、従来のガス絶縁開閉装置（実施の形態１を参照）では、回線の引き出し位置により潮流が決まるため、主母線１，２の定格の電流容量は各ユニットで要求される容量の合計となるが、主母線１，２をループ構成とすることにより、このような制約がなく、通電電流の分散による運用面の制約緩和の効果がある。なお、本実施の形態のその他の効果は実施の形態１と同様である。
【００４８】
実施の形態３．
図７は、本実施の形態に係るガス絶縁開閉装置の単線結線図、図８は、本実施の形態に係るガス絶縁開閉装置の構成を示す上面図、図９−１は、図８におけるＡ−Ａ矢視断面図、図９−２は、図８におけるＡ’−Ａ’矢視断面図、図９−３は、図９−１におけるＢ−Ｂ矢視断面図、図９−４は、図９−１におけるＣ−Ｃ矢視断面図、図９−５は、図９−１におけるＤ−Ｄ矢視断面図、図９−６は、図９−２におけるＥ−Ｅ矢視断面図、図９−７は、図９−２におけるＦ−Ｆ矢視断面図である。
【００４９】
図７〜図９に示すように、本実施の形態では、実施の形態２と同様に、主母線１，２は環状に構成されており、平面視で例えば矩形形状である。実施の形態２との相違は、主母線１，２に接続されたユニットがすべて環状の主母線１，２の内側に配置されていることである。すなわち、コの字状の主母線１，２の両端を主母線１ｂ，２ｂで接続して環状とする点は実施の形態２と同様である。ただし、ユニットがすべて環状領域の内側に配置されているので、主母線１ａ，１ｂ，２ａ，２ｂの長さは実施の形態１と比べて長くなる。
【００５０】
また、図８では、ガス絶縁開閉装置の設置面下（地下）に設けられたケーブル洞道４９の配置箇所を点線で示している。ケーブル洞道４９は、送電線ユニットＵ１，Ｕ３のケーブル引込部４３ａ，４３ｂと変圧器ユニットＵ４，Ｕ６のケーブル引込部４３ｃ，４３ｄとに合わせて設けられている。本実施の形態では、すべてのユニットが主母線１，２の内側に配置されているので、ケーブル引込部４３ａ〜４３ｄが集約して配置され、ケーブル洞道４９が１箇所に集約される。また、本実施の形態では、保守点検面Ｐは主母線１，２の外側に配置される。本実施の形態のその他の構成は、実施の形態２と同様であるので、図４〜図６と同一の構成要素には同一の符号を付してその詳細な説明を省略する。
【００５１】
本実施の形態によれば、環状の主母線１，２の内側にすべてのユニットを配置するようにしたので、ケーブル洞道４９が１箇所に集約され、基礎土木工事費用を低減することができる。
【００５２】
また、本実施の形態によれば、保守点検面Ｐを主母線１，２の外側に配置できることから、保守点検性の向上を図ることができる。
【００５３】
なお、本実施の形態では、主母線１，２は環状としたが、主母線１，２を実施の形態１と同様にコの字状とし、コの字状とされた主母線１，２の内側にすべてのユニットを配置する構成も可能である。また、本実施の形態において、すべてのユニットのうちの一部のみを主母線１，２の内側に配置し、残りを主母線１，２の外側に配置する構成も可能である。さらにまた、主母線１，２を実施の形態１と同様にコの字状とし、コの字状とされた主母線１，２の内側にすべてのユニットのうちの一部のみを配置し、残りを主母線１，２の外側に配置する構成も可能である。
【００５４】
実施の形態４．
図１０は、本実施の形態に係るガス絶縁開閉装置の単線結線図、図１１は、本実施の形態に係るガス絶縁開閉装置の構成を示す上面図、図１２−１は、図１１におけるＡ−Ａ矢視断面図、図１２−２は、図１１におけるＢ−Ｂ矢視断面図、図１２−３は、図１２−１におけるＣ−Ｃ矢視断面図、図１２−４は、図１２−１におけるＤ−Ｄ矢視断面図、図１２−５は、図１２−１におけるＥ−Ｅ矢視断面図、図１２−６は、図１２−２におけるＦ−Ｆ矢視断面図、図１２−７は、図１２−２におけるＧ−Ｇ矢視断面図である。
【００５５】
図１０〜図１２に示すように、本実施の形態の主母線１，２は、実施の形態２と同様に（図４、図５参照）、環状に構成されている。実施の形態２との相違点は、ユニットの配置にある。すなわち、実施の形態２では、送電線ユニットＵ１は折り返された主母線１，２を挟んで主母線１ａ，２ａの延伸方向において変圧器ユニットＵ６と対向して配置され、母線計器用変圧器ユニットＵ２は折り返された主母線１，２を挟んで主母線１ａ，２ａの延伸方向において母線連絡ユニットＵ５と対向して配置され、送電線ユニットＵ３は折り返された主母線１，２を挟んで主母線１ａ，２ａの延伸方向において変圧器ユニットＵ４と対向して配置されている。すなわち、ユニット同士が主母線１ａ，２ａ（又は主母線１ｂ，２ｂ）の延伸方向において互いに対向して配置されている。
【００５６】
他方、本実施の形態では、送電線ユニットＵ１、変圧器ユニットＵ６、母線計器用変圧器ユニットＵ２、母線連絡ユニットＵ５、送電線ユニットＵ３、及び変圧器ユニットＵ４が、主母線１，２の延伸方向（詳細には、主母線１，２のうち主母線１ｂ，２ｂを除いたコの字の平行二辺に相当する構成部分の延伸方向）に対して、主母線１，２の外側にて、千鳥に配置されている。具体的には、主母線１，２の延伸方向において、送電線ユニットＵ１と母線計器用変圧器ユニットＵ２との間に変圧器ユニットＵ６が配置され、母線計器用変圧器ユニットＵ２と送電線ユニットＵ３との間に母線連絡ユニットＵ５が配置され、母線連絡ユニットＵ５と変圧器ユニットＵ４との間に送電線ユニットＵ３が配置されている。
【００５７】
本実施の形態では、上記のようにユニットを千鳥に配置しているので、ユニット配列方向である主母線１，２の延伸方向に対して、引き出し回線の中心が互いにずれて配置されることとなる。そのため、図１１に示すように、各ユニットの保守点検面Ｐは、主母線１，２の内側にて、主母線１，２の延伸方向に対して互い違いに配置されることとなり、保守点検面Ｐの手前にスペースを確保することができ、作業性の向上を図ることができる。
【００５８】
なお、本実施の形態では、主母線１，２は環状に構成されているが、実施の形態１のようにコの字状に形成されていてもよい。本実施の形態のその他の効果は、実施の形態２と同様である。
【００５９】
実施の形態５．
図１３は、本実施の形態に係るガス絶縁開閉装置の単線結線図、図１４は、本実施の形態に係るガス絶縁開閉装置の構成を示す上面図、図１５−１は、図１４におけるＡ−Ａ矢視断面図、図１５−２は、図１４におけるＡ’−Ａ’矢視断面図、図１５−３は、図１５−１におけるＢ−Ｂ矢視断面図、図１５−４は、図１５−１におけるＣ−Ｃ矢視断面図、図１５−５は、図１５−１におけるＤ−Ｄ矢視断面図、図１５−６は、図１５−２におけるＥ−Ｅ矢視断面図、図１５−７は、図１５−２におけるＦ−Ｆ矢視断面図である。
【００６０】
図１３〜図１５に示すように、本実施の形態の主母線１，２は、実施の形態３と同様に（図７、図８参照）、環状に構成されている。実施の形態３との相違点は、ユニットの配置にある。すなわち、実施の形態３では、送電線ユニットＵ１は主母線１，２の内側で主母線１ａ，２ａの延伸方向において変圧器ユニットＵ６と対向して配置され、母線計器用変圧器ユニットＵ２は主母線１，２の内側で主母線１ａ，２ａの延伸方向において母線連絡ユニットＵ５と対向して配置され、送電線ユニットＵ３は主母線１，２の内側で主母線１ａ，２ａの延伸方向において変圧器ユニットＵ４と対向して配置されている。すなわち、ユニット同士が主母線１，２の内側で主母線１ａ，２ａ（又は主母線１ｂ，２ｂ）の延伸方向において互いに対向して配置されている。
【００６１】
他方、本実施の形態では、送電線ユニットＵ１、変圧器ユニットＵ６、母線計器用変圧器ユニットＵ２、母線連絡ユニットＵ５、送電線ユニットＵ３、及び変圧器ユニットＵ４が、主母線１，２の内側で、主母線１，２の延伸方向に対して（詳細には、主母線１，２のうち主母線１ｂ，２ｂを除いたコの字の平行二辺に相当する構成部分の延伸方向）、千鳥に配置されている。具体的には、主母線１，２の延伸方向において、変圧器ユニットＵ６と母線連絡ユニットＵ５との間に送電線ユニットＵ１が配置され、母線連絡ユニットＵ５と変圧器ユニットＵ４との間に母線計器用変圧器ユニットＵ２が配置され、母線計器用変圧器ユニットＵ２と送電線ユニットＵ３との間に変圧器ユニットＵ４が配置されている。
【００６２】
本実施の形態では、上記のようにユニットを千鳥に配置することにより、変圧器ユニットＵ６のケーブルヘッド４１と送電線ユニットＵ１のケーブルヘッド１１と変圧器ユニットＵ４のケーブルヘッド３０と送電線ユニットＵ３のケーブルヘッド２４とを直線的に配置することができる。これにより、変圧器ユニットＵ６のケーブル引込部５１ａと送電線ユニットＵ１のケーブル引込部５１ｄと変圧器ユニットＵ４のケーブル引込部５１ｃと送電線ユニットＵ３のケーブル引込部５１ｂとが直線的に配置されることとなり（図１４参照）、ケーブル洞道５０の施工を合理化することができるとともに、主母線１ａ，２ａの延伸方向における設置スペースを縮小化することができる。
【００６３】
なお、本実施の形態では、主母線１，２は環状に構成されているが、実施の形態１のようにコの字状に形成されていてもよい。本実施の形態のその他の効果は、実施の形態３と同様である。
【００６４】
実施の形態６．
図１６は、本実施の形態に係るガス絶縁開閉装置の単線結線図、図１７は、実施の形態６に係るガス絶縁開閉装置の構成を示す上面図、図１８−１は、図１７におけるＡ−Ａ矢視断面図、図１８−２は、図１７におけるＢ−Ｂ矢視断面図、図１８−３は、図１８−１におけるＣ−Ｃ矢視断面図、図１８−４は、図１８−１におけるＤ−Ｄ矢視断面図、図１８−５は、図１８−１におけるＥ−Ｅ矢視断面図、図１８−６は、図１８−１におけるＦ−Ｆ矢視断面図、図１８−７は、図１８−２におけるＧ−Ｇ矢視断面図、図１８−８は、図１８−２におけるＨ−Ｈ矢視断面図である。
【００６５】
図１６〜図１８に示すように、本実施の形態では、実施の形態２（図４及び図５参照）の構成に加えて、環状の主母線１，２の例えば主母線１ｂ，２ｂの箇所にそれぞれ断路器５２，５３が設けられている。すなわち、主母線１のコの字状の端部は断路器５２を介して主母線１ｂにより矩形の環状を成しており、主母線２のコの字状の端部は断路器５３を介して主母線２ｂにより矩形の環状を成している。この構造により、断路器５２を投入した状態では通電経路は環状となるが、断路器５２を開放した状態では通電経路は実質コの字状となる。同様に、断路器５３を投入した状態では通電経路は環状となるが、断路器５３を開放した状態では通電経路は実質コの字状となる。
【００６６】
本実施の形態によれば、断路器５２，５３を環状に構成された主母線１，２にそれぞれ設けるようにしたので、断路器５２，５３をそれぞれ入切することで系統構成の切り替えを行うことができ、運用の調整を行うことができる。本実施の形態のその他の効果は、実施の形態２と同様である。
【００６７】
なお、本実施の形態では、断路器５２，５３は、主母線１ｂ，２ｂの部分に設けられているが、主母線１，２の他の箇所に設けることもできる。なお、本実施の形態の断路器５２，５３を実施の形態４に適用可能であることは言うまでもない。
【００６８】
実施の形態７．
図１９は、本実施の形態に係るガス絶縁開閉装置の単線結線図、図２０は、本実施の形態に係るガス絶縁開閉装置の構成を示す上面図、図２１−１は、図２０におけるＡ−Ａ矢視断面図、図２１−２は、図２０におけるＡ’−Ａ’矢視断面図、図２１−３は、図２１−１におけるＢ−Ｂ矢視断面図、図２１−４は、図２１−１におけるＣ−Ｃ矢視断面図、図２１−５は、図２１−１におけるＤ−Ｄ矢視断面図、図２１−６は、図２１−２におけるＥ−Ｅ矢視断面図、図２１−７は、図２１−２におけるＦ−Ｆ矢視断面図、図２１−８は、図２１−２におけるＧ−Ｇ矢視断面図である。
【００６９】
図１９〜図２１に示すように、本実施の形態では、実施の形態３（図７及び図８参照）の構成に加えて、環状の主母線１，２の例えば主母線１ｂ，２ｂの箇所にそれぞれ断路器５４，５５が設けられている。すなわち、主母線１のコの字状の端部は断路器５４を介して主母線１ｂにより矩形の環状を成しており、主母線２のコの字状の端部は断路器５５を介して主母線２ｂにより矩形の環状を成している。この構造により、断路器５４を投入した状態では通電経路は環状となるが、断路器５４を開放した状態では通電経路は実質コの字状となる。同様に、断路器５５を投入した状態では通電経路は環状となるが、断路器５５を開放した状態では通電経路は実質コの字状となる。
【００７０】
本実施の形態によれば、断路器５４，５５を環状に構成された主母線１，２にそれぞれ設けるようにしたので、断路器５４，５５をそれぞれ入切することで系統構成の切り替えを行うことができ、運用の調整を行うことができる。本実施の形態のその他の効果は、実施の形態３と同様である。
【００７１】
なお、本実施の形態では、断路器５４，５５は、主母線１ｂ，２ｂの部分に設けられているが、主母線１，２の他の箇所に設けることもできる。また、本実施の形態の断路器５４，５５を実施の形態５に適用可能であることは言うまでもない。
【００７２】
実施の形態８．
実施の形態１〜７では、二重母線方式のガス絶縁開閉装置について説明したが、それらを単母線方式に適用することができる。
【００７３】
図２２は、本実施の形態に係るガス絶縁開閉装置の単線結線図である。図２２に示すように、本実施の形態は、主母線１のみが設けられた単母線方式である。主母線１は、実施の形態１と同様に、概略コの字状を成している。すなわち、ガス絶縁開閉装置の設置面に対して垂直な方向から平面視した場合に、主母線１の配置は概略コの字状を成している。詳細には、同一方向に延設され所定の間隔で配置された一対の主母線１の端部間が上記同一方向と直交する方向に延伸する主母線１ａにより互いに接続されて、全体として概略コの字状に形成されている。なお、主母線１ａは主母線１を構成する部分のうち上記一方向と直交する方向の部分を異なる符合で表したものであり、主母線１の一部を成すものである。
【００７４】
また、主母線１には、例えば、送電線ユニットＶ１、母線計器用変圧器ユニットＶ２、及び変圧器ユニットＶ３が接続され、これらはいずれもコの字状の主母線１の例えば外側に配置されている。送電線ユニットＶ１は、例えば折り返された主母線１を挟んで変圧器ユニットＶ３と対向して配置されている。なお、送電線ユニットＶ１、母線計器用変圧器ユニットＶ２、及び変圧器ユニットＶ３は、コの字状に構成された主母線１の平行二辺に相当する構成部分（つまり、主母線１ａ以外の部分）に接続されている。
【００７５】
送電線ユニットＶ１は、接地開閉器付の断路器６０、遮断器６１、接地開閉器付の断路器６２、接地開閉器６３、避雷器６４、計器用変圧器６５、ケーブルヘッド６６、及び計器用変流器６７を備えて構成される。
【００７６】
具体的には、遮断器６１はいわゆる縦形の遮断器であり、円筒状の遮断器タンクの側面に例えば二つの分岐引き出し口を備えており、これらの分岐引き出し口の引き出し方向は主母線１の延伸方向と直交する方向である。遮断器６１の分岐引き出し口のうちの一つは母線側に配置され、残りの一つは線路側に配置されている。母線側に配置された分岐引き出し口には、接地開閉器付の断路器６０が接続され、この接地開閉器付の断路器６０は主母線１に接続されている。線路側に配置された分岐引き出し口には、接地開閉器付の断路器６２が接続されている。この接地開閉器付の断路器６２は、避雷器６４及び計器用変圧器６５並びにケーブルヘッド６６に接続されている。また、避雷器６４及び計器用変圧器６５並びにケーブルヘッド６６は、接地開閉器６３に接続されている。避雷器６４及び計器用変圧器６５は接地開閉器６３に対して上方に配置され、ケーブルヘッド６６は接地開閉器６３に対して下方に配置されている。
【００７７】
ケーブルヘッド６６にはケーブル（図示せず）が接続されており、このケーブルは設置面下に設けられたケーブル収納用のケーブル洞道（図示せず）内に配置されて引き出されている。また、ケーブルヘッド６６の下方の設置面下には通流電流計測用の計器用変流器６７が埋設されている。計器用変圧器６７の設置箇所はケーブル引込部（図示せず）となっており、ケーブル洞道（図示せず）内に配設されたケーブルはケーブル引込部（図示せず）を経て当該ユニット内に引き込まれている。
【００７８】
母線計器用変圧器ユニットＶ２は、接地開閉器６８を介して主母線１に接続された変圧器６９を備えて構成される。
【００７９】
変圧器ユニットＶ３は、接地開閉器付の断路器７０、遮断器７１、接地開閉器７２、ケーブルヘッド７３、及び計器用変流器７４を備えて構成される。
【００８０】
具体的には、遮断器７１はいわゆる縦形の遮断器であり、円筒状の遮断器タンクの側面に例えば二つの分岐引き出し口を備えており、これらの分岐引き出し口の引き出し方向は主母線１の延伸方向と直交する方向である。遮断器７１の分岐引き出し口のうちの一つは母線側に配置され、残りの一つは変圧器側に配置されている。母線側に配置された分岐引き出し口には、接地開閉器付の断路器７０が接続され、この接地開閉器付の断路器７０は主母線１に接続されている。変圧器側に配置された分岐引き出し口には、接地開閉器７２が接続されている。この接地開閉器７２は、ケーブルヘッド７３に接続されている。ケーブルヘッド７３は接地開閉器７２に対して下方に配置されている。
【００８１】
ケーブルヘッド７３にはケーブル（図示せず）が接続されており、このケーブルは設置面下に設けられたケーブル収納用のケーブル洞道（図示せず）内に配置されて引き出されている。また、ケーブルヘッド７３の下方の設置面下には通流電流計測用の計器用変流器７４が埋設されている。計器用変圧器７４の設置箇所はケーブル引込部（図示せず）となっており、ケーブル洞道（図示せず）内に配設されたケーブルはケーブル引込部（図示せず）を経て当該ユニット内に引き込まれている。
【００８２】
以上説明した本実施の形態の構成は、実施の形態１を単母線方式とし、送電線ユニットと変圧器ユニットをそれぞれ一つずつ設けたものに相当する。図示例は一例であってこれらに限定されるものではない。ユニットは、ガス絶縁開閉装置の構成機器を含むものであればよい。例えば、主母線１に接続するユニット数を増やして回線数を増やした構成も可能である。ただし、単母線方式の場合、ガス絶縁開閉装置は、送電線ユニットと変圧器ユニットを少なくとも備えて構成される。同様にして、実施の形態２〜７を単母線方式に適用することは容易である。
【００８３】
本実施の形態は、二重母線等の複母線方式と比べて冗長性が低くなることを除けば、実施の形態１と同様の効果を奏する。実施の形態２〜７を単母線方式に適用した場合についても同様である。
【産業上の利用可能性】
【００８４】
本発明は、ガス絶縁開閉装置として有用である。
【符号の説明】
【００８５】
１，２，１ａ，２ａ，１ｂ，２ｂ  主母線
３，７，１７，２０，２６，３２，３４，３７，６０，７０  接地開閉器付の断路器
４，１８，２７，３８  ５２〜５５  断路器
５，１９，２８，３６，３９，６１，７１  遮断器
９，２２，６４  避雷器
１０，１４，１６，２３，６５  計器用変圧器
１１，２４，３０，４１，６６，７３  ケーブルヘッド
１２，２５，３１，３３，３５，４２，６７，７４  計器用変流器
８，１３，１５，２１，２９，４０，６３，７２  接地開閉器
４３ａ〜４３ｄ，５１ａ〜５１ｄ，７１ａ〜７１ｄ  ケーブル引込部
４７〜５０，７０  ケーブル洞道
【図１】
0005773812.tif 000002
【図２】
0005773812.tif 000003
【図３−１】
0005773812.tif 000004
【図３−２】
0005773812.tif 000005
【図３−３】
0005773812.tif 000006
【図３−４】
0005773812.tif 000007
【図３−５】
0005773812.tif 000008
【図３−６】
0005773812.tif 000009
【図３−７】
0005773812.tif 000010
【図４】
0005773812.tif 000011
【図５】
0005773812.tif 000012
【図６−１】
0005773812.tif 000013
【図６−２】
0005773812.tif 000014
【図６−３】
0005773812.tif 000015
【図６−４】
0005773812.tif 000016
【図６−５】
0005773812.tif 000017
【図６−６】
0005773812.tif 000018
【図６−７】
0005773812.tif 000019
【図７】
0005773812.tif 000020
【図８】
0005773812.tif 000021
【図９−１】
0005773812.tif 000022
【図９−２】
0005773812.tif 000023
【図９−３】
0005773812.tif 000024
【図９−４】
0005773812.tif 000025
【図９−５】
0005773812.tif 000026
【図９−６】
0005773812.tif 000027
【図９−７】
0005773812.tif 000028
【図１０】
0005773812.tif 000029
【図１１】
0005773812.tif 000030
【図１２−１】
0005773812.tif 000031
【図１２−２】
0005773812.tif 000032
【図１２−３】
0005773812.tif 000033
【図１２−４】
0005773812.tif 000034
【図１２−５】
0005773812.tif 000035
【図１２−６】
0005773812.tif 000036
【図１２−７】
0005773812.tif 000037
【図１３】
0005773812.tif 000038
【図１４】
0005773812.tif 000039
【図１５−１】
0005773812.tif 000040
【図１５−２】
0005773812.tif 000041
【図１５−３】
0005773812.tif 000042
【図１５−４】
0005773812.tif 000043
【図１５−５】
0005773812.tif 000044
【図１５−６】
0005773812.tif 000045
【図１５−７】
0005773812.tif 000046
【図１６】
0005773812.tif 000047
【図１７】
0005773812.tif 000048
【図１８−１】
0005773812.tif 000049
【図１８−２】
0005773812.tif 000050
【図１８−３】
0005773812.tif 000051
【図１８−４】
0005773812.tif 000052
【図１８−５】
0005773812.tif 000053
【図１８−６】
0005773812.tif 000054
【図１８−７】
0005773812.tif 000055
【図１８−８】
0005773812.tif 000056
【図１９】
0005773812.tif 000057
【図２０】
0005773812.tif 000058
【図２１−１】
0005773812.tif 000059
【図２１−２】
0005773812.tif 000060
【図２１−３】
0005773812.tif 000061
【図２１−４】
0005773812.tif 000062
【図２１−５】
0005773812.tif 000063
【図２１−６】
0005773812.tif 000064
【図２１−７】
0005773812.tif 000065
【図２１−８】
0005773812.tif 000066
【図２２】
0005773812.tif 000067
【図２３】
0005773812.tif 000068
【図２４】
0005773812.tif 000069
【図２５】
0005773812.tif 000070
【図２６−１】
0005773812.tif 000071
【図２６−２】
0005773812.tif 000072
【図２６−３】
0005773812.tif 000073
【図２６−４】
0005773812.tif 000074
【図２７】
0005773812.tif 000075
【図２８】
0005773812.tif 000076
【図２９】
0005773812.tif 000077
【図３０−１】
0005773812.tif 000078
【図３０−２】
0005773812.tif 000079
【図３０−３】
0005773812.tif 000080
【図３０−４】
0005773812.tif 000081